(57)【要約】【課題】コマーシャル放送情報を省くことなく、且つ、一連の番組放送情報に含まれる本編放送情報の視聴を好適に行うことができるよう番組放送情報を記録できる記録装置を提供する。【解決手段】順次供給される、本編放送情報から構成される本編チャプターとコマーシャル放送情報（ＣＭ放送情報）から構成されるＣＭチャプターとを含んだ一連の番組放送情報を、供給された順にＨＤＤ１５に記録するＨＤＤ／ＤＶＤレコーダ１０において、ＣＰＵ１８１に、ＨＤＤ１５に記憶された番組放送情報のうちの本編チャプターを供給された順に連結させ、受信ＣＭ検出プログラム１８３ｂ１を実行したＣＰＵ１８１により検出されたＣＭチャプターを、供給された順に、連結された本編チャプターの最後尾に移動させて、ＨＤＤ１５に記憶された番組放送情報を編集させる編集プログラム１８３ｂ２と、を備えるよう構成した。【選択図】図１
2007081667.tif 000002
【特許請求の範囲】
【請求項１】
順次供給される、本編放送情報とコマーシャル放送情報を含んだ一連の番組放送情報を、供給された順に記憶手段に記録する記録装置において、
当該記録装置による前記記憶手段への番組放送情報の記録動作中に、前記番組放送情報の中から、コマーシャル放送情報を検出する第１の検出手段と、
当該記録装置による前記記憶手段への番組放送情報の記録動作中に、前記第１の検出手段により検出されたコマーシャル放送情報に、識別情報を付与する付与手段と、
前記第１の検出手段により検出されたコマーシャル放送情報の中から、同一のコマーシャル放送情報を検出する第２の検出手段と、
前記記憶手段に記憶された番組放送情報のうち、前記第２の検出手段により検出された同一のコマーシャル放送情報のうちの一つのコマーシャル放送情報を除いた他のコマーシャル放送情報を消去する消去手段と、
当該記録装置による前記記憶手段への番組放送情報の記録動作が終了した後に、当該記憶手段に記憶された番組放送情報のうちの本編放送情報を供給された順に連結させ、当該記憶手段に記憶された番組放送情報のうちの、前記第１の検出手段により検出されて、前記付与手段により識別情報が付与されたコマーシャル放送情報を、連結された本編放送情報の最後尾に移動させて、当該記憶手段に記憶された番組放送情報を編集する編集手段と、
を備えることを特徴とする記録装置。
【請求項２】
順次供給される、本編放送情報とコマーシャル放送情報を含んだ一連の番組放送情報を、供給された順に記憶手段に記録する記録装置において、
前記番組放送情報の中から、コマーシャル放送情報を検出する検出手段と、
前記記憶手段に記憶された番組放送情報のうちの本編放送情報を供給された順に連結させ、前記検出手段により検出されたコマーシャル放送情報を、前記供給された順に、連結された本編放送情報の最後尾に移動させて、当該記憶手段に記憶された番組放送情報を編集する編集手段と、
を備えることを特徴とする記録装置。
【請求項３】
請求項２に記載の記録装置において、
前記検出手段により検出されたコマーシャル放送情報に、識別情報を付与する付与手段を備え、
前記編集手段は、当該記録装置による前記記憶手段への番組放送情報の記録動作が終了した後に、当該記憶手段に記憶された番組放送情報のうちの前記付与手段により識別情報が付与されたコマーシャル放送情報を、前記供給された順に、連結された本編放送情報の最後尾に移動させて、当該記憶手段に記憶された番組放送情報を編集することを特徴とする記録装置。
【請求項４】
請求項２又は３に記載の記録装置において、
前記検出手段により検出されたコマーシャル放送情報の中から、同一のコマーシャル放送情報を検出する第２の検出手段と、
前記記憶手段に記憶された番組放送情報のうち、前記第２の検出手段により検出された同一のコマーシャル放送情報のうちの一つのコマーシャル放送情報を除いた他のコマーシャル放送情報を消去する消去手段と、
を備えることを特徴とする記録装置。
【発明の詳細な説明】
【技術分野】
【０００１】
本発明は、記録装置に関する。
【背景技術】
【０００２】
従来、順次供給される、本編放送情報とコマーシャル放送情報（以下、「ＣＭ放送情報」という）とを含んだ一連の番組放送情報を、ＨＤＤ（Hard Disc Drive）や、ＤＶＤ（Digital Versatile Disk）等の記憶媒体などに記録する記録装置が知られている。
【０００３】
一連の番組放送情報には、本編放送情報とＣＭ放送情報とが交互に含まれているため、本編放送情報は断片的に記録されることとなる。そのため、記録装置により記録した番組放送情報を視聴する際、本編放送情報を好適に視聴することができず、本編放送情報を好適に視聴するためには、ユーザは、例えば、記録装置による番組放送情報の記録動作が終了した後に、記録された番組放送情報の中から本編放送情報のみを抽出する編集を行う必要があり、手間がかかるという問題があった。
【０００４】
そこで、例えば、番組放送情報を記録する際に、本編放送情報とＣＭ放送情報とを別々の記憶領域に記録して、前述の編集を自動的に行う記録装置が提案された（例えば、特許文献１及び２参照）。
【特許文献１】特開２０００−１１５４５号公報
【特許文献２】特開２００２―１４２１９６号公報
【発明の開示】
【発明が解決しようとする課題】
【０００５】
ところで、特許文献１及び２の記録装置においては、本編放送情報とＣＭ放送情報とを別々の記憶領域に記録するため、ユーザは、番組放送情報を視聴する際、本編放送情報とＣＭ放送情報のどちらを視聴するか選択する必要がある。すなわち、ＣＭ放送情報は、ユーザによって意識的に選択されない限り、ユーザに視聴されない。
【０００６】
しかしながら、ＣＭ放送情報の特性上、ＣＭ放送情報はユーザに視聴されるべきであり、記録装置によってＣＭ放送情報が予め省かれた番組放送情報が記録されるのは不適切である。
【０００７】
本発明の目的は、コマーシャル放送情報を省くことなく、且つ、一連の番組放送情報に含まれる本編放送情報の視聴を好適に行うことができるよう番組放送情報を記録できる記録装置を提供することにある。
【課題を解決するための手段】
【０００８】
上記課題を解決するために、請求項１に記載の発明は、順次供給される、本編放送情報とコマーシャル放送情報を含んだ一連の番組放送情報を、供給された順に記憶手段に記録する記録装置において、当該記録装置による前記記憶手段への番組放送情報の記録動作中に、前記番組放送情報の中から、コマーシャル放送情報を検出する第１の検出手段と、当該記録装置による前記記憶手段への番組放送情報の記録動作中に、前記第１の検出手段により検出されたコマーシャル放送情報に、識別情報を付与する付与手段と、前記第１の検出手段により検出されたコマーシャル放送情報の中から、同一のコマーシャル放送情報を検出する第２の検出手段と、前記記憶手段に記憶された番組放送情報のうち、前記第２の検出手段により検出された同一のコマーシャル放送情報のうちの一つのコマーシャル放送情報を除いた他のコマーシャル放送情報を消去する消去手段と、当該記録装置による前記記憶手段への番組放送情報の記録動作が終了した後に、当該記憶手段に記憶された番組放
送情報のうちの本編放送情報を供給された順に連結させ、当該記憶手段に記憶された番組放送情報のうちの、前記第１の検出手段により検出されて、前記付与手段により識別情報が付与されたコマーシャル放送情報を、連結された本編放送情報の最後尾に移動させて、当該記憶手段に記憶された番組放送情報を編集する編集手段と、を備えることを特徴とする。
【０００９】
請求項２に記載の発明は、順次供給される、本編放送情報とコマーシャル放送情報を含んだ一連の番組放送情報を、供給された順に記憶手段に記録する記録装置において、前記番組放送情報の中から、コマーシャル放送情報を検出する検出手段と、前記記憶手段に記憶された番組放送情報のうちの本編放送情報を供給された順に連結させ、前記検出手段により検出されたコマーシャル放送情報を、前記供給された順に、連結された本編放送情報の最後尾に移動させて、当該記憶手段に記憶された番組放送情報を編集する編集手段と、を備えることを特徴とする。
【００１０】
請求項３に記載の発明は、請求項２に記載の記録装置において、前記検出手段により検出されたコマーシャル放送情報に、識別情報を付与する付与手段を備え、前記編集手段は、当該記録装置による前記記憶手段への番組放送情報の記録動作が終了した後に、当該記憶手段に記憶された番組放送情報のうちの前記付与手段により識別情報が付与されたコマーシャル放送情報を、前記供給された順に、連結された本編放送情報の最後尾に移動させて、当該記憶手段に記憶された番組放送情報を編集することを特徴とする。
【００１１】
請求項４に記載の発明は、請求項２又は３に記載の記録装置において、前記検出手段により検出されたコマーシャル放送情報の中から、同一のコマーシャル放送情報を検出する第２の検出手段と、前記記憶手段に記憶された番組放送情報のうち、前記第２の検出手段により検出された同一のコマーシャル放送情報のうちの一つのコマーシャル放送情報を除いた他のコマーシャル放送情報を消去する消去手段と、を備えることを特徴とする。
【発明の効果】
【００１２】
請求項１に記載の発明によれば、編集手段によって、記憶装置による記憶手段への番組放送情報の記録動作が終了した後に、記憶手段に記憶された番組放送情報のうちの本編放送情報を供給された順に連結させ、記憶装置に記憶された番組放送情報のうちの、第１の検出手段により検出されて、付与手段により識別情報が付与されたコマーシャル放送情報を、連結された本編放送情報の最後尾に移動させて、記憶手段に記憶された番組放送情報を編集することができる。すなわち、本編放送情報とコマーシャル放送情報とを分けずに記録することができると共に、本編放送情報のみが連結するよう編集することができるため、コマーシャル放送情報を省くことなく、且つ、一連の番組放送情報に含まれる本編放送情報の視聴を好適に行うことができるよう番組放送情報を記録することができる。
【００１３】
そして、付与手段によって、第１の検出手段により検出されたコマーシャル放送情報に識別情報を付与することができる。したがって、識別情報によって、記憶手段に記録した番組放送情報が、本編放送情報であるかコマーシャル放送情報であるかを明確に識別することができるため、確実且つ容易に本編放送情報のみが連結するよう編集することができることとなって、より好適に、本編放送情報の視聴を行うことができるよう番組放送情報を記録することができる。また、付与手段によって、記録装置による記憶手段への番組放送情報の記録動作中に、コマーシャル放送情報に識別情報を付与することができるため、記録動作終了後の編集が効率的に行える。
【００１４】
さらに、消去手段によって、記憶手段に記憶された番組放送情報のうち、第２の検出手段により検出された同一のコマーシャル放送情報のうちの一つのコマーシャル放送情報を除いた他のコマーシャル放送情報を消去することができる。すなわち、一連の番組放送情報中に、同一のコマーシャル放送情報が含まれている場合は、そのうちの一つを残して他を消去することができるため、同一のコマーシャル放送情報を複数記憶する必要がなくな
って、一連の番組放送情報の記憶量を少なくすることができると共に、ユーザにとっても、同一のコマーシャル放送情報を何回も視聴する必要がなくなって、ＣＭ放送情報の視聴も好適に行うことができるよう番組放送情報を記録することができる。
【００１５】
請求項２に記載の発明によれば、編集手段によって、記憶手段に記憶された番組放送情報のうちの本編放送情報を供給された順に連結させ、検出手段により検出されたコマーシャル放送情報を、供給された順に、連結された本編放送情報の最後尾に移動させて、記憶手段に記憶された番組放送情報を編集することができる。すなわち、本編放送情報とコマーシャル放送情報とを分けずに記録することができると共に、本編放送情報のみが連結するよう編集することができるため、コマーシャル放送情報を省くことなく、且つ、一連の番組放送情報に含まれる本編放送情報の視聴を好適に行うことができるよう番組放送情報を記録することができる。
【００１６】
請求項３に記載の発明によれば、請求項２に記載の発明と同様の効果が得られることは無論のこと、付与手段によって、検出手段により検出されたコマーシャル放送情報に識別情報を付与することができる。したがって、識別情報によって、記憶手段に記録した番組放送情報が、本編放送情報であるかコマーシャル放送情報であるかを明確に識別することができるため、確実且つ容易に本編放送情報のみが連結するよう編集することができることとなって、より好適に、本編放送情報の視聴を行うことができるよう番組放送情報を記録することができる。
【００１７】
請求項４に記載の発明によれば、請求項２又は３に記載の発明と同様の効果が得られることは無論のこと、消去手段によって、記憶手段に記憶された番組放送情報のうち、第２の検出手段により検出された同一のコマーシャル放送情報のうちの一つのコマーシャル放送情報を除いた他のコマーシャル放送情報を消去することができる。すなわち、一連の番組放送情報中に、同一のコマーシャル放送情報が含まれている場合は、そのうちの一つを残して他を消去することができるため、同一のコマーシャル放送情報を複数記憶する必要がなくなって、一連の番組放送情報の記憶量を少なくすることができると共に、ユーザにとっても、同一のコマーシャル放送情報を何回も視聴する必要がなくなって、ＣＭ放送情報の視聴も好適に行うことができるよう番組放送情報を記録することができる。
【発明を実施するための最良の形態】
【００１８】
以下、図を参照して、本発明にかかる記録装置の最良の形態を詳細に説明する。なお、発明の範囲は、図示例に限定されない。
【００１９】
本実施形態では、記録装置としてＨＤＤ／ＤＶＤレコーダを例示して説明することとする。
＜ＨＤＤ／ＤＶＤレコーダの構成＞
まず、ＨＤＤ／ＤＶＤレコーダ１０の構成について、図１を参照して説明する。
【００２０】
ＨＤＤ／ＤＶＤレコーダ１０は、順次供給される、本編放送情報とコマーシャル放送情報（以下、「ＣＭ放送情報」という。）を含んだ一連の番組放送情報を、供給された順に、ＨＤＤ１５又はＤＶＤに記録する。
【００２１】
具体的には、ＨＤＤ／ＤＶＤレコーダ１０は、例えば、図１に示すように、チューナ１１と、復調器１２と、デコーダ１３と、エンコーダ１４と、ＨＤＤ１５と、タイマ１６と、リモコン受信部１７と、制御部１８と、などを備えて構成される。各部は、バスＢによって接続されている。
【００２２】
また、ＨＤＤ／ＤＶＤレコーダ１０は、リモコン受信部１７と通信可能なＨＤＤ／ＤＶＤレコーダ１０用のリモートコントローラ１７１（以下、「リモコン１７１」という。）も備えている。
【００２３】
チューナ１１は、アンテナ１１１を有しており、チューナ１１及びアンテナ１１１は、順次供給されるテレビジョン放送波から、本編放送情報とＣＭ放送情報を含んだ一連の番組放送情報を受信して出力する。
【００２４】
具体的には、チューナ１１は、制御部１８からの指示に従って、例えば、アンテナ１１１により受信されるデジタル方式のテレビジョン放送波の中から、ユーザ所望の放送番組のチャンネルに対応する周波数帯域に存在する番組放送情報を受信し、当該受信した番組放送情報を中間周波信号に変換して出力する。
【００２５】
ここで、一連の番組放送情報には、例えば、図２（ａ）に示すように、本編放送情報を含む本編チャプターと、ＣＭ放送情報を含むＣＭチャプターと、が含まれており、本編チャプター同士の間に、一個又は複数個のＣＭチャプターが挿入されている。また、一連の番組放送情報には、本編チャプターとＣＭチャプターとの間、或いは、ＣＭチャプターとＣＭチャプターとの間に挿入されたミュート情報ｍも含まれている。
【００２６】
復調器１２は、例えば、制御部１８からの指示に従って、チューナ１１から順次出力される一連の番組放送情報にデジタル復調や誤り訂正などの処理を施し、当該処理を施した一連の番組放送情報を出力する。
【００２７】
デコーダ１３は、例えば、制御部１８からの指示に従って、復調器１２から順次出力される一連の番組放送情報を、デコードして出力する。
【００２８】
エンコーダ１４は、例えば、制御部１８からの指示に従って、デコーダ１３から順次出力される一連の番組放送情報を、エンコードして出力する。
【００２９】
ＨＤＤ１５は、例えば、磁気的記録媒体、光学的記録媒体、若しくは半導体メモリで構成される。
【００３０】
具体的には、ＨＤＤ１５は、例えば、記憶手段として、制御部１８からの指示に従って、エンコーダ１４から順次出力される一連の番組放送情報を、所定の記憶領域に記憶する。すなわち、ＨＤＤ１５には、供給された順に、一連の番組放送情報が記録される。
【００３１】
より具体的には、例えば、図２（ａ）に示すように、ＨＤＤ１５の記憶領域１５１には、本編放送情報から構成される本編チャプター及びＣＭ放送情報から構成されるＣＭチャプターと、当該本編チャプター及びＣＭチャプターがアンテナ１１１及びチューナ１１により受信された順（すなわち、供給された順）を示す供給番号ｎと、が対応付けて記録される。
【００３２】
タイマ１６は、例えば、制御部１８からの指示に従って、計時を開始し、計時により得られた計時時間を出力する。
【００３３】
リモコン受信部１７は、例えば、リモコン１７１から送信された各種信号を受信し、当該各種信号に基づく情報を出力する。
【００３４】
リモコン１７１は、例えば、ユーザが、ユーザ所望の放送番組を選択したり、或いは、ＨＤＤ１５への番組放送情報の記録の開始又は停止を指示する際に使用される。
【００３５】
制御部１８は、例えば、図１に示すように、ＣＰＵ（Central Processing Unit）１８
１と、ＲＡＭ（Random Access Memory）１８２と、記憶部１８３と、などを備えている。
【００３６】
ＣＰＵ１８１は、記憶部１８３に記憶されたＨＤＤ／ＤＶＤレコーダ１０用の各種処理プログラムに従って、各種の制御動作を行う。
【００３７】
ＲＡＭ１８２は、ＣＰＵ１８１によって実行される処理プログラムなどを展開するため
のプログラム格納領域や、入力データや上記処理プログラムが実行される際に生じる処理結果などを格納するデータ格納領域などを備える。
【００３８】
記憶部１８３は、ＨＤＤ／ＤＶＤレコーダ１０で実行可能なシステムプログラム、当該システムプログラムで実行可能な各種処理プログラム、これら各種処理プログラムを実行する際に使用されるデータ、ＣＰＵ１８１によって演算処理された各種結果のデータなどを記憶する。なお、プログラムは、コンピュータが読み取り可能なプログラムコードの形で記憶部１８３に記憶されている。
【００３９】
具体的には、記憶部１８３は、例えば、図１に示すように、画像データファイル１８３ａ１と、受信ＣＭ検出プログラム１８３ｂ１と、付与プログラム１８３ｂ２と、同一ＣＭ検出プログラム１８３ｂ３と、消去プログラム１８３ｂ４と、編集プログラム１８３ｂ５と、などを記憶している。
【００４０】
画像データファイル１８３ａ１は、同一ＣＭ検出プログラム１８３ｂ３を実行したＣＰＵ１８１（後述）により取得された、ミュート情報ｍの受信直後に受信された番組放送情報における画像データを記憶する。
【００４１】
具体的には、画像データファイル１８３ａ１は、例えば、ミュート情報ｍの受信直後に受信された番組放送情報における１フレームの画像データと、当該１フレームの画像データが受信された順（すなわち、供給された順）を示す供給番号ｎと、を対応付けて記憶している。
【００４２】
ここで、画像データファイル１８３ａ１に記憶された供給番号ｎと、ＨＤＤ１５に記憶された供給番号ｎと、は対応する。
【００４３】
受信ＣＭ検出プログラム１８３ｂ１は、ＣＰＵ１８１に、ＨＤＤ／ＤＶＤレコーダ１０によるＨＤＤ１５への番組放送情報の記録動作中に、番組放送情報の中から、ＣＭ放送情報を検出する機能を実現させる。
【００４４】
具体的には、ＣＰＵ１８１は、受信ＣＭ検出プログラム１８３ｂ１を実行して、番組放送情報の中からミュート情報ｍを検出すると共に、タイマ１６に、第１のミュート情報ｍを検出してから第１のミュート情報ｍの次に検出される第２のミュート情報ｍを検出するまでの時間を計時させる。そして、ＣＰＵ１８１は、タイマ１６の計時により得られた計時時間が、例えば、３０秒以下である場合は、第１のミュート情報ｍと第２のミュート情報ｍとの間に受信されてＨＤＤ１５に記憶されたチャプターを、ＣＭ放送情報を含むＣＭチャプターであると判断する。一方、ＣＰＵ１８１は、タイマ１６の計時により得られた計時時間が、例えば、３０秒より長い場合は、第１のミュート情報ｍと第２のミュート情報ｍとの間に受信されてＨＤＤ１５に記憶されたチャプターを、本編放送情報を含む本編チャプターであると判断すると共に、画像データファイル１８３ａ１から、当該本編チャプターに対応する供給番号ｎと同一の供給番号ｎを有する画像データを消去する。
【００４５】
ＣＰＵ１８１は、かかる受信ＣＭ検出プログラム１８３ｂ１を実行することによって、検出手段（第１の検出手段）として機能する。
【００４６】
付与プログラム１８３ｂ２は、ＣＰＵ１８１に、ＨＤＤ／ＤＶＤレコーダ１０によるＨＤＤ１５への番組放送情報の記録動作中に、受信ＣＭ検出プログラム１８３ｂ１を実行したＣＰＵ１８１により検出されたＣＭ放送情報に、識別情報を付与する機能を実現させる。
【００４７】
具体的には、受信ＣＭ検出プログラム１８３ｂ１を実行したＣＰＵ１８１により、ＨＤＤ１５に記憶されたチャプターが、ＣＭチャプターであると判断されると、ＣＰＵ１８１は、付与プログラム１８３ｂ２を実行して、当該ＣＭチャプターに識別情報を付与する。
【００４８】
ＣＰＵ１８１は、かかる付与プログラム１８３ｂ２を実行することによって、付与手段として機能する。
【００４９】
同一ＣＭ検出プログラム１８３ｂ３は、ＣＰＵ１８１に、受信ＣＭ検出プログラム１８３ｂ１を実行したＣＰＵ１８１により検出されたＣＭ放送情報の中から、同一のＣＭ放送情報を検出する機能を実現させる。
【００５０】
具体的には、受信ＣＭ検出プログラム１８３ｂ１を実行したＣＰＵ１８１により、番組放送情報の中からミュート情報ｍが検出されると、ＣＰＵ１８１は、同一ＣＭ検出プログラム１８３ｂ３を実行して、当該ミュート情報ｍの受信直後に受信された番組放送情報における１フレームの画像データを、供給番号ｎと共に、画像データファイル１８３ａ１に記憶させる。そして、ＣＰＵ１８１は、ＨＤＤ１５への番組放送情報の記録動作が終了した後に、画像データファイル１８３ａ１に記憶された画像データ（ＣＭ放送情報における画像データ）同士を比較して、画像データファイル１８３ａ１に記憶された画像データの中から、同一の画像データを検出する。
【００５１】
ＣＰＵ１８１は、かかる同一ＣＭ検出プログラム１８３ｂ３を実行することによって、第２の検出手段として機能する。
【００５２】
消去プログラム１８３ｂ４は、ＣＰＵ１８１に、ＨＤＤ１５に記憶された番組放送情報のうち、同一ＣＭ検出プログラム１８３ｂ３を実行したＣＰＵ１８１により検出された同一のＣＭ放送情報のうちの一つのＣＭ放送情報を除いた他のＣＭ放送情報を消去する機能を実現させる。
【００５３】
具体的には、同一ＣＭ検出プログラム１８３ｂ３を実行したＣＰＵ１８１により、画像データファイル１８３ａ１に記憶された画像データ（ＣＭ放送情報における画像データ）の中から、同一の画像データが検出されると、ＣＰＵ１８１は、消去プログラム１８３ｂ４を実行して、画像データファイル１８３ａ１から、当該同一の画像データのうちの一つの画像データを除いた他の画像データの供給番号ｎを取得する。そして、当該取得した供給番号ｎと同一の供給番号ｎを有するチャプター（ＣＭチャプター）と、当該ＣＭチャプターに対応する供給番号ｎと、をＨＤＤ１５から消去する。
【００５４】
より具体的には、例えば、同一ＣＭ検出プログラム１８３ｂ３を実行したＣＰＵ１８１により、供給番号ｎが[２]及び[５]の画像データが同一であると検出されると、消去プログラム１８３ｂ４を実行したＣＰＵ１８１は、同一の画像データ（供給番号ｎが[２]及び[５]）のうちの、最も小さい供給番号ｎ（[２]）に対応する画像データを除いた他の画像データの供給番号ｎ（[５]）を取得する。そして、ＣＰＵ１８１は、例えば、図２（ａ）に示すＨＤＤ１５の記憶領域１５１から、図２（ｂ）に示すように供給番号ｎが[５]のＣＭチャプターと、供給番号ｎ（[５]）と、を消去する。
【００５５】
ＣＰＵ１８１は、かかる消去プログラム１８３ｂ４を実行することによって、消去手段として機能する。
【００５６】
編集プログラム１８３ｂ５は、ＣＰＵ１８１に、ＨＤＤ／ＤＶＤレコーダ１０によるＨＤＤ１５への番組放送情報の記録動作が終了した後に、ＨＤＤ１５に記憶された番組放送情報のうちの本編放送情報を供給された順に連結させ、ＨＤＤ１５に記憶された番組放送情報のうちの、受信ＣＭ検出プログラム１８３ｂ１を実行したＣＰＵ１８１により検出されて、付与プログラム１８３ｂ２を実行したＣＰＵ１８１により識別情報が付与されて、消去プログラム１８３ｂ４を実行したＣＰＵ１８１により消去されなかったＣＭ放送情報を、供給された順に、連結された本編放送情報の最後尾に移動させて、ＨＤＤ１５に記憶された番組放送情報を編集する機能を実現させる。
【００５７】
具体的には、ＨＤＤ／ＤＶＤレコーダ１０（ＣＰＵ１８１）によるＨＤＤ１５への番組放送情報の記録動作が終了し、消去プログラム１８３ｂ４を実行したＣＰＵ１８１により該当するＣＭチャプターがＨＤＤ１５から消去されると、ＣＰＵ１８１は、編集プログラム１８３ｂ５を実行して、ＨＤＤ１５に記憶された本編チャプターを、供給番号ｎが小さいものから順に連結させる。その後、ＣＰＵ１８１は、消去プログラム１８３ｂ４を実行したＣＰＵ１８１により消去されなかった、ＨＤＤ１５に記憶されたままのＣＭチャプターを、供給番号ｎが小さいものから順に、連結された本編チャプターの最後尾に移動させ
て、ＨＤＤ１５に記録された番組放送情報を編集する。
【００５８】
より具体的には、編集プログラム１８３ｂ５を実行したＣＰＵ１８１は、例えば、図２（ｂ）に示す順でＨＤＤ１５の記憶領域１５１に記憶されていた本編チャプター及びＣＭチャプターを、図２（ｃ）に示すように並び替える。
【００５９】
ＣＰＵ１８１は、かかる編集プログラム１８３ｂ５を実行することによって、編集手段として機能する。
＜ＴＶ放送情報の記録処理＞
次に、ＨＤＤ／ＤＶＤレコーダ１０によるＨＤＤ１５への番組放送情報の記録に関する処理について、図３のフローチャートを参照して説明する。
【００６０】
まず、ユーザによるリモコン１７１の操作などによって、ユーザ所望の放送番組が選択されて、当該放送番組の番組放送情報をＨＤＤ１５に記録するよう指示されると、ＣＰＵ１８１は、当該指示に従って、アンテナ１１１及びチューナ１１に番組放送情報を受信させて、当該受信された番組放送情報のＨＤＤ１５への記録動作を開始する（ステップＳ１）。
【００６１】
次いで、ＣＰＵ１８１は、受信ＣＭ検出プログラム１８３ｂ１を実行して、アンテナ１１１及びチューナ１１により受信された番組放送情報の中から、ミュート情報ｍが検出されたか否かを判定する（ステップＳ２）。
【００６２】
ステップＳ２で、ミュート情報ｍが検出されないと判定すると（ステップＳ２；Ｎｏ）、ＣＰＵ１８１は、ユーザによるリモコン１７１の操作などによって、ＨＤＤ１５への番組放送情報の記録を停止するよう指示されたか否かを判定する（ステップＳ３）。
【００６３】
ステップＳ３で、ＨＤＤ１５への番組放送情報の記録を停止するよう指示されていないと判定すると（ステップＳ３；Ｎｏ）、ＣＰＵ１８１は、ステップＳ２以降の処理を繰り返して行う。
【００６４】
一方、ステップＳ３で、ＨＤＤ１５への番組放送情報の記録を停止するよう指示されたと判定すると（ステップＳ３；Ｙｅｓ）、ＣＰＵ１８１は、当該指示に従って、ＨＤＤ１５への番組放送情報の記録動作を終了し（ステップＳ４）、本処理を終了する。
【００６５】
また、ステップＳ２で、ミュート情報ｍが検出されたと判定すると（ステップＳ２；Ｙｅｓ）、ＣＰＵ１８１は、タイマ１６による計時を開始し（ステップＳ５）、同一ＣＭ検出プログラム１８３ｂ３を実行して、ステップＳ２で検出されたミュート情報ｍの受信直後に受信された番組放送情報における１フレームの画像データを、画像データファイル１８３ａ１に記憶させる（ステップＳ６）。
【００６６】
次いで、ＣＰＵ１８１は、受信ＣＭ検出プログラム１８３ｂ１を実行して、アンテナ１１１及びチューナ１１により受信された番組放送情報の中から、ミュート情報ｍが検出されたか否かを判定する（ステップＳ７）。
【００６７】
ステップＳ７で、ミュート情報ｍが検出されたと判定すると（ステップＳ７；Ｙｅｓ）、ＣＰＵ１８１は、タイマ１６による計時を停止して（ステップＳ８）、タイマ１６に計時時間を出力させ、当該出力された計時時間をＲＡＭ１８２に記憶させる（ステップＳ９）。
【００６８】
次いで、ＣＰＵ１８１は、タイマ１６による計時を開始し（ステップＳ１０）、同一ＣＭ検出プログラム１８３ｂ３を実行して、ステップＳ７で検出されたミュート情報ｍの受
信直後に受信された番組放送情報における１フレームの画像データを、画像データファイル１８３ａ１に記憶させる（ステップＳ１１）。
【００６９】
次いで、ＣＰＵ１８１は、受信ＣＭ検出プログラム１８３ｂ１を実行して、ステップＳ９でＲＡＭ１８２に記憶させた計時時間が、３０秒以下であるか否かを判定する（ステップＳ１２）。
【００７０】
ステップＳ１２で、３０秒以下であると判定すると（ステップＳ１２；Ｙｅｓ）、ＣＰＵ１８１は、ステップＳ７で検出されたミュート情報ｍの受信直前までに受信されてＨＤＤ１５に記憶されたチャプターを、ＣＭチャプターであると判断し、付与プログラム１８３ｂ２を実行して、当該ＣＭチャプターに識別情報を付与し（ステップＳ１３）、ステップＳ７以降の処理を繰り返して行う。
【００７１】
一方、ステップＳ１２で、３０秒以下でないと判定すると（ステップＳ１２；Ｎｏ）、ＣＰＵ１８１は、ステップＳ７で検出されたミュート情報ｍの受信直前までに受信されてＨＤＤ１５に記憶されたチャプターを、本編チャプターであると判断し、画像データファイル１８３ａ１から、該当する画像データ、すなわち、当該本編チャプターに対応する供給番号ｎと同一の供給番号ｎを有する画像データ、を消去し（ステップＳ１４）、ステップＳ７以降の処理を繰り返して行う。
【００７２】
また、ステップＳ７で、ミュート情報ｍが検出されないと判定すると（ステップＳ７；Ｎｏ）、ＣＰＵ１８１は、ユーザによるリモコン１７１の操作などによって、ＨＤＤ１５への番組放送情報の記録を停止するよう指示されたか否かを判定する（ステップＳ１５）。
【００７３】
ステップＳ１５で、ＨＤＤ１５への番組放送情報の記録を停止するよう指示されていないと判定すると（ステップＳ１５；Ｎｏ）、ＣＰＵ１８１は、ステップＳ７以降の処理を繰り返して行う。
【００７４】
一方、ステップＳ１５で、ＨＤＤ１５への番組放送情報の記録を停止するよう指示されたと判定すると（ステップＳ１５；Ｙｅｓ）、ＣＰＵ１８１は、当該指示に従って、ＨＤＤ１５への番組放送情報の記録動作を終了する（ステップＳ１６）。
【００７５】
次いで、ＣＰＵ１８１は、同一ＣＭ検出プログラム１８３ｂ３を実行して、画像データファイル１８３ａ１に記憶された、番組放送情報（ＣＭ放送情報）における画像データ同士を比較し（ステップＳ１７）、同一の画像データが検出されたか否かを判定する（ステップＳ１８）。
【００７６】
ステップＳ１８で、同一の画像データが検出されないと判定すると（ステップＳ１８；Ｎｏ）、ＣＰＵ１８１は、ステップＳ２０に移行する。
【００７７】
一方、ステップＳ１８で、同一の画像データが検出されたと判定すると（ステップＳ１８；Ｙｅｓ）、ＣＰＵ１８１は、消去プログラム１８３ｂ４を実行して、該当するＣＭチャプター、すなわち、ステップＳ１８で検出された同一の画像データのうちの一つの画像データを除いた他の画像データと同一の供給番号ｎを有するＣＭチャプターと、当該ＣＭチャプターに対応する供給番号ｎと、をＨＤＤ１５から消去する（ステップＳ１９）。
【００７８】
次いで、ＣＰＵ１８１は、編集プログラム１８３ｂ５を実行して、ＨＤＤ１５に記憶された番組放送情報を編集し（ステップＳ２０）、画像データファイル１８３ａ１に記憶された画像データなどを消去して（ステップＳ２１）、本処理を終了する。
【００７９】
なお、ＨＤＤ／ＤＶＤレコーダ１０によるＨＤＤ１５への番組放送情報の記録に関する処理が終了した後に、ユーザによるリモコン１７１の操作などによって、ＨＤＤ１５に記録された番組放送情報をＤＶＤに記録するよう指示されると、ＣＰＵ１８１は、当該指示に従って、ＤＶＤドライブ部（図示省略）などを介して、ＤＶＤに当該番組放送情報を記録することができる。
【００８０】
以上説明した本発明のＨＤＤ／ＤＶＤレコーダ１０によれば、順次供給される、本編放送情報により構成される本編チャプターとＣＭ放送情報により構成されるＣＭチャプターとを含んだ一連の番組放送情報を、供給された順に、ＨＤＤ１５の記憶領域１５１に記録することができ、受信ＣＭ検出プログラム１８３ｂ１を実行したＣＰＵ１８１によって、ＨＤＤ／ＤＶＤレコーダ１０によるＨＤＤ１５への番組放送情報の記録動作中に、番組放送情報の中から、ＣＭチャプターを検出することができ、編集プログラム１８３ｂ５を実行したＣＰＵ１８１によって、ＨＤＤ１５に記憶された番組放送情報のうちの本編チャプターを供給された順に連結させ、受信ＣＭ検出プログラム１８３ｂ１を実行したＣＰＵ１８１により検出されたＣＭチャプターを、供給された順に、連結された本編チャプターの最後尾に移動させて、ＨＤＤ１５に記憶された番組放送情報を編集することができる。すなわち、本編チャプターとＣＭチャプターとを分けずに記録することができると共に、本編チャプターのみが連結するよう編集することができるため、ＣＭチャプターを省くことなく、且つ、一連の番組放送情報に含まれる本編チャプターの視聴を好適に行うことができるよう番組放送情報を記録することができる。
【００８１】
そして、付与プログラム１８３ｂ２を実行したＣＰＵ１８１によって、ＨＤＤ／ＤＶＤレコーダ１０によるＨＤＤ１５への番組放送情報の記録動作中に、受信ＣＭ検出プログラム１８３ｂ１を実行したＣＰＵ１８１により検出されたＣＭチャプターに、識別情報を付与することができ、編集プログラム１８３ｂ５を実行したＣＰＵ１８１によって、ＨＤＤ／ＤＶＤレコーダ１０によるＨＤＤ１５への番組放送情報の記録動作が終了した後に、ＨＤＤ１５に記憶された番組放送情報のうちの付与プログラム１８３ｂ２を実行したＣＰＵ１８１により識別情報が付与されたＣＭチャプターを、供給された順に、連結された本編チャプターの最後尾に移動させて、ＨＤＤ１５に記憶された番組放送情報を編集することができる。したがって、識別情報によって、ＨＤＤ１５に記録した番組放送情報が、本編チャプターであるかＣＭチャプターであるかを明確に識別することができるため、確実且つ容易に本編チャプターのみが連結するよう編集することができることとなって、より好適に、本編チャプターの視聴を行うことができるよう番組放送情報を記録することができる。また、ＨＤＤ／ＤＶＤ１０によるＨＤＤ１５への番組放送情報の記録動作中に、ＣＭチャプターに識別情報を付与することができるため、記録動作終了後の編集が効率的に行える。
【００８２】
さらに、同一ＣＭ検出プログラム１８３ｂ３を実行したＣＰＵ１８１によって、受信ＣＭ検出プログラム１８３ｂ１を実行したＣＰＵ１８１により検出されたＣＭチャプターの中から、同一のＣＭチャプター（同一のＣＭ放送情報における画像データ）を検出することができ、消去プログラム１８３ｂ４を実行したＣＰＵ１８１によって、ＨＤＤ１５に記憶された番組放送情報のうち、同一ＣＭ検出プログラム１８３ｂ３を実行したＣＰＵ１８１により検出された同一のＣＭチャプターのうちの一つのＣＭチャプターを除いた他のＣＭチャプターを消去することができる。すなわち、一連の番組放送情報中に、同一のＣＭチャプターが含まれている場合は、そのうちの一つを残して他を消去することができるため、同一のＣＭチャプターを複数記憶する必要がなくなって、一連の番組放送情報の記憶量を少なくすることができると共に、ユーザにとっても、同一のＣＭチャプターを何回も視聴する必要がなくなって、ＣＭチャプターの視聴も好適に行うことができるよう番組放送情報を記録することができる。
【００８３】
なお、本発明は、上記した実施の形態のものに限るものではなく、その要旨を逸脱しない範囲で適宜変更可能である。
【００８４】
記録装置は、ＨＤＤ／ＤＶＤレコーダ１０の限りではなく、番組放送情報を記録することができる好適な装置であれば任意である。
【００８５】
番組放送情報の中からＣＭチャプターを検出する方法やタイミング、同一ＣＭチャプターを検出する方法やタイミング、該当するＣＭチャプターをＨＤＤ１５から消去する方法やタイミング、などは、本実施の形態の限りでなく、好適な方法やタイミングであれば任意である。
【００８６】
本実施の形態では、アンテナ１１１及びチューナ１１により受信される番組放送情報が、デジタル方式の番組放送情報の場合について説明したが、アンテナ１１１及びチューナ１１により受信される番組放送情報は、アナログ方式の番組放送情報であってもよい。この場合、ＨＤＤ／ＤＶＤレコーダ１０の構成は適宜変更可能である。
【００８７】
第１のミュート情報ｍを検出してから第２のミュート情報ｍを検出するまでの時間が３０秒以下の場合、第１のミュート情報ｍと第２のミュート情報ｍとの間に受信されたチャプターを、ＣＭチャプターと判断するとしたが、ＣＭチャプターであるか否かを判断する際の基準となる時間は、３０秒の限りでなく、好適な時間であれば任意である。
【００８８】
ユーザによるリモコン１７１の操作などによって、ＨＤＤ１５に記録された番組放送情報の編集を行わないモード、同一のＣＭチャプターを消去せずにＨＤＤ１５に記録された番組放送情報の編集を行うモード、本実施の形態のように同一のＣＭチャプターを消去してＨＤＤ１５に記憶された番組放送情報の編集を行うモード、などが選択できるようにしてもよい。
【００８９】
リモコン受信部１７とリモコン１７１は、例えば、各種機能キーなどから構成され、ユーザのキー操作に伴う押下信号を出力する操作部などであってもよい。
【図面の簡単な説明】
【００９０】
【図１】本実施の形態におけるＨＤＤ／ＤＶＤレコーダの機能的構成を示すブロック図である。
【図２】ＨＤＤの記憶領域に記憶された番組放送情報を示す図（ａ）、ＣＭ放送情報消去後のＨＤＤの記憶領域に記憶された番組放送情報を示す図（ｂ）及び編集後のＨＤＤの記憶領域に記録された番組放送情報を示す図（ｃ）である。
【図３】ＨＤＤ／ＤＶＤレコーダによるＨＤＤへの番組放送情報の記録に関する処理を説明するためのフローチャートである。
【符号の説明】
【００９１】
１０  ＨＤＤ／ＤＶＤレコーダ（記録装置）
１５  ＨＤＤ（記憶手段）
１８１  ＣＰＵ（検出手段、第１の検出手段、付与手段、第２の検出手段、消去手段、編集手段）
１８３ｂ１  受信ＣＭ検出プログラム（検出手段、第１の検出手段）
１８３ｂ２  付与プログラム（付与手段）
１８３ｂ３  同一ＣＭ検出プログラム１８３ｂ３（第２の検出手段）
１８３ｂ４  消去プログラム（消去手段）
１８３ｂ５  編集プログラム（編集手段）
【図１】
2007081667.tif 000003
【図２】
2007081667.tif 000004
【図３】
2007081667.tif 000005